(57)【要約】【課題】  逆光の度合いを判断して逆光補正を行うことができるカメラ付き携帯端末装置を得る。【解決手段】  中央制御部１０６は、ＧＰＳ部１１１により検出される自端末の現在位置と現在時刻を基に太陽の方向を求める。そして、太陽の方向と、方位検出部１１２を用いて検出されるカメラ１０９の撮像方向とを基に、逆光状態での撮影であると判断される場合に逆光補正を行う。ここで、カメラ撮像方向が太陽の方向を向くにつれて逆光度合いが増すため、カメラ撮像方向と太陽の方向との差に応じて逆光補正の度合いを可変するようにしている。【選択図】      図１
2007288626.tif 000002
【特許請求の範囲】
【請求項１】
カメラと、自端末の現在位置及び現在時刻を基に求められる太陽の方向と前記カメラの撮像方向とを基に逆光状態での撮影であると判断されるとき逆光補正を行う制御手段とを有するカメラ付き携帯端末装置であって、
前記制御手段は、前記太陽の方向と前記カメラの撮像方向との差に応じて前記逆光補正の度合いを可変することを特徴とするカメラ付き携帯端末装置。
【請求項２】
通信ネットワークに接続され前記現在位置及び現在時刻を基に前記太陽の方向を求めるサーバ装置に、少なくとも前記現在位置の情報を前記通信ネットワークを介して送信し、前記サーバ装置から前記太陽の方向の情報を前記通信ネットワークを介して受信するようにしたことを特徴とする請求項１記載のカメラ付き携帯端末装置。
【請求項３】
前記制御手段は、前記サーバ装置から前記太陽の方向の情報と共に前記現在位置に対応する地域の天気情報を受信し、前記太陽の方向と前記カメラの撮像方向との差及び前記天気情報に応じて前記逆光補正の度合いを可変することを特徴とする請求項２記載のカメラ付き携帯端末装置。
【請求項４】
カメラを備えたカメラ付き携帯端末装置の動作制御方法であって、
自端末の現在位置及び現在時刻を基に求められる太陽の方向と前記カメラの撮像方向とを基に逆光状態での撮影であると判断されるとき逆光補正を行うステップを含み、
前記ステップは、前記太陽の方向と前記カメラの撮像方向との差に応じて前記逆光補正の度合いを可変するステップを有することを特徴とする動作制御方法。
【請求項５】
通信ネットワークに接続され前記現在位置及び現在時刻を基に前記太陽の方向を求めるサーバ装置に、少なくとも前記現在位置の情報を前記通信ネットワークを介して送信するステップと、前記サーバ装置から前記太陽の方向の情報を前記通信ネットワークを介して受信するステップとを更に含むことを特徴とする請求項４記載の動作制御方法。
【請求項６】
前記太陽の方向の情報を受信するステップは、前記サーバ装置から前記太陽の方向の情報と共に前記現在位置に対応する地域の天気情報を受信し、前記逆光補正の度合いを可変するステップは、前記太陽の方向と前記カメラの撮像方向との差及び前記天気情報に応じて前記逆光補正の度合いを可変することを特徴とする請求項５記載の動作制御方法。
【請求項７】
カメラを備えたカメラ付き携帯端末装置の動作制御方法をコンピュータに実行させるためのプログラムであって、
自端末の現在位置及び現在時刻を基に求められる太陽の方向と前記カメラの撮像方向とを基に逆光状態での撮影であると判断されるとき逆光補正を行う処理を含み、
前記処理は、前記太陽の方向と前記カメラの撮像方向との差に応じて前記逆光補正の度合いを可変する処理を有することを特徴とするプログラム。
【発明の詳細な説明】
【技術分野】
【０００１】
本発明はカメラ付き携帯端末装置、その動作制御方法及びプログラムに関し、特にカメラ撮影時に太陽逆光場面になることを検知して自動で逆光補正モードに移行するカメラ付き携帯端末装置に関する。
【背景技術】
【０００２】
昨今の携帯電話機などの携帯端末装置には、ＧＰＳ（Ｇｌｏｂａｌ  Ｐｏｓｉｔｉｏｎｉｎｇ  Ｓｙｓｔｅｍ）機能を搭載した端末が多機種に及びつつある。また、カメラに関しては、ほぼ標準的に端末に搭載されている。しかし、カメラの撮影には一般的に専門知識を用いて撮影するユーザは少なく、条件によっては、ユーザが思っているような撮影を行うことが難しい。
【０００３】
野外撮影では、太陽光の輝度が高いため、撮影に対する影響度が高く、特に逆光撮影では、被写体映像が暗く落ち込むことになる。逆光撮影に対しては、逆光に対応した逆光補正モードを設けている端末もあるが、逆光補正モードに移行させるためにはユーザーがマニュアル操作を行う必要があった。
【０００４】
これに対して、特許文献１には、ＧＰＳ機能により端末の現在位置を求める手段と、撮影レンズの方向を検出する手段と、端末の現在位置と少なくとも月、日、時及び分の情報からなる現在時刻情報とを基に太陽の方向を求める手段とを備え、撮影レンズの方向と太陽の方向とを基に逆光状態での撮影であるか否かを判断して、逆光状態での撮影であると判断される場合には自動的に逆光補正を行うようにしたカメラ装置が記載されている。
【０００５】
【特許文献１】特開平０８−０９５１４６号広報
【発明の開示】
【発明が解決しようとする課題】
【０００６】
しかしながら、特許文献１に記載のカメラ装置では、逆光の度合いを判断することなく、単に逆光と判断された場合に所定の補正量で逆光補正を行うようにしているので、逆光の度合いに応じた細かな補正を行うことができないという問題がある。
【０００７】
本発明の目的は、カメラ撮影時、逆光の度合いを判断して逆光補正を行うことができるカメラ付き携帯端末装置、その動作制御方法及びプログラムを提供することである。
【課題を解決するための手段】
【０００８】
本発明によるカメラ付き携帯端末装置は、カメラと、自端末の現在位置及び現在時刻を基に求められる太陽の方向と前記カメラの撮像方向とを基に逆光状態での撮影であると判断されるとき逆光補正を行う制御手段とを有するカメラ付き携帯端末装置であって、前記制御手段は、前記太陽の方向と前記カメラの撮像方向との差に応じて前記逆光補正の度合いを可変することを特徴とする。
【０００９】
本発明による動作制御方法は、カメラを備えたカメラ付き携帯端末装置の動作制御方法であって、自端末の現在位置及び現在時刻を基に求められる太陽の方向と前記カメラの撮像方向とを基に逆光状態での撮影であると判断されるとき逆光補正を行うステップを含み、前記ステップは、前記太陽の方向と前記カメラの撮像方向との差に応じて前記逆光補正の度合いを可変するステップを有することを特徴とする。
【００１０】
本発明によるプログラムは、カメラを備えたカメラ付き携帯端末装置の動作制御方法をコンピュータに実行させるためのプログラムであって、自端末の現在位置及び現在時刻を基に求められる太陽の方向と前記カメラの撮像方向とを基に逆光状態での撮影であると判断されるとき逆光補正を行う処理を含み、前記処理は、前記太陽の方向と前記カメラの撮像方向との差に応じて前記逆光補正の度合いを可変する処理を有することを特徴とする。
【００１１】
このように、本発明では、カメラ撮像方向が太陽の方向を向くにつれて逆光度合いが増すため、カメラ撮像方向と太陽の方向との差に応じて逆光補正の度合いを可変するようにしており、これにより、逆光の度合いに応じた適切な補正を行うことができる。
【発明の効果】
【００１２】
本発明によれば、以下に述べるような構成及び動作とすることで、カメラ撮影時、逆光の度合いを判断して逆光補正を行うことができるという効果が得られる。
【発明を実施するための最良の形態】
【００１３】
以下、本発明の実施例について図面を参照して説明する。
【００１４】
図１は本発明の第１の実施例による携帯電話機の構成を示す図である。図１において、本発明の第１の実施例による携帯電話機１００は、デジタルカメラ機能を有するものであり、アンテナ１０１と、送受信部１０２と、ＧＰＳ部１１１と、方位検出部１１２と、カメラ１０９と、カメラ制御部１１０と、画像処理部１０８と、表示部１０３と、中央制御部１０６と、キー操作部１０７と、データメモリ部１０５と、時計部１０４とを有して構成される。
【００１５】
送受信部１０２は、アンテナ１０１を介して受信された信号を復調し、中央制御部１０６へ出力すると共に、中央制御部１０６から出力された信号を変調した後、無線周波数に変換してアンテナ１０１を介して送信する。ＧＰＳ部１１１は、ＧＰＳ衛星からの測位用電波を受信し、携帯電話機の現在位置を算出する。方位検出部１１２は、地磁気の検出を行って絶対方位を検出する。キー操作部１０７は、数字キー、記号等のファンクションキーを備え、ユーザが発着呼の操作、電話番号の登録操作等を行うためのものである。また、その操作により生成される信号は、中央制御部１０６へ出力される。
【００１６】
カメラ制御部１１０は、キー操作部１０７で生成される信号により中央制御部１０６からカメラ撮像機能を有効とする命令信号を受けた際に、カメラ１０９の動作を制御する。カメラ１０９は、撮像した被写体画像を光電変換により画像データとして生成する。画像処理部１０８は、カメラ１０９からの画像データに色処理等を行って、画像認識データ等にデータを加工する。中央制御部１０６は、キー操作部１０７からの各種入力操作に応じた各部制御を一括して行うものであり、プログラム化された動作手順に従った制御を行う。
【００１７】
表示部１０３は、中央制御部１０６の表示命令に従って、データメモリ部１０５に記憶されている画像データ、電話番号、または、テキストデータ等を表示するものである。データメモリ部１０５は、電話番号、電話先の名前、名称、文字等のテキストデータ、画像データ、計測データを記憶する。時計部１０４は、計時機能を有する。
【００１８】
なお、中央制御部１０６は、方位検出部１１２により検出される絶対方位を基にカメラ１０９の撮像方向を検出し、また、データメモリ部１０５内の時計分毎の太陽の方角データベースを用いて携帯電話機の現在位置と暦と時刻とから太陽の方向を割り出す。なお、暦と時刻は時計部１０４情報を使用する。
【００１９】
次に、本発明の第１の実施例の動作について説明する。図２は図１の携帯電話機の動作を示すフローチャートである。図２において、まず、カメラ制御部１１０は、中央制御部１０６の指示によりカメラ１０９を動作させ撮影を開始する（ステップＳ１）。次に、中央制御部１０６は、方位検出部１１２により絶対方位を検知し、カメラ１０９の実装による撮像方角を算出する（ステップＳ２）。
【００２０】
そして、中央制御部１０６は、ＧＰＳ部１１１により現在位置を検知し、時計部１０４から暦と時刻を合わせて、太陽の方角を算出する（ステップＳ３）。次に、中央制御部１０６は、カメラ１０９の撮像方向と太陽の方向とを基に、カメラ撮影が逆光であるか判断する（ステップＳ４）。
【００２１】
逆光でない場合は、ステップＳ１に移りカメラ撮影の継続を行う。一方、逆光である場合、中央制御部１０６は、逆光の度合いを算出すべくカメラ１０９の撮像方向と太陽の方向との差を算出する（ステップＳ５）。そして、中央制御部１０６はステップＳ６において画像処理部１０８及びカメラ制御部１１０に対して逆光補正制御を行うが、逆光の度合いはカメラ撮像方向と太陽の方向との角度が狭いほど強い逆光となるため、この角度が狭いほど逆光補正の度合いを高くするよう制御をなす。その後、ステップＳ１に移りカメラ撮影の継続を行う。
【００２２】
例えば逆光に有効な方法として、１画面を複数の領域に分割し、各領域ごとに重み付けを行って、特に画面中央部分の重みを高くすることで、中央部の試写体画像に合わせた信号レベルの補正を行って中央部の試写体が暗くなることを防止できる。したがって、逆光が強くなるにつれて、画面中央部分の重みをより高く設定するようにして、測光の強度を中央に集中し強くすることにより、より中央部分重視の画像調整を行うことが可能になるため、逆光の度合いに応じた補正を行うことができる。
【００２３】
あるいは、逆光の度合いに応じて露光量に対する補正値を予め用意しておき、標準の露光量に対して、算出された逆光の度合いに応じた値を加算して露光するようにしてもよい。
【００２４】
なお、方位検出部１１２は、水平方向だけではなく上下全角度が検出できるセンサーにより構成してもよい。また、図２に示したフローチャートに従った携帯電話機の処理動作は、該端末において、予めＲＯＭ等の記憶媒体に格納されたプログラムを、ＣＰＵ（制御部）となるコンピュータに読み取らせて実行せしめることにより、実現できることは勿論である。
【００２５】
図３は本発明の第２の実施例による携帯電話機を含むシステムの構成を示す図である。図３に示した本発明の第２の実施例による携帯電話機の基本的な構成は図１に示した本発明の第１の実施例による携帯電話機と同様であるが、携帯通信の機能を使用して通信ネットワークを介してサーバより情報を入手する点が第１の実施例と異なる。
【００２６】
図３において、本システムは、携帯電話機１００と、サーバ３０１と、インターネット等の通信ネットワーク３０２と、基地局３０３とを有している。基地局３０３は、携帯電話機１００のアンテナ１０１より送受信される無線信号の通信を通信ネットワーク３０２に接続するものであり、携帯電話機１００は、基地局３０３及び通信ネットワーク３０２を介してサーバ３０１との間で情報の送受信を行う。
【００２７】
本発明の第１の実施例では、太陽の方向は携帯電話機１００の現在位置と現在時刻とを基に携帯電話機１００において算出されるが、本発明の第２の実施例では、この算出を携帯電話機１００の代わりにサーバ３０１が行うものとする。すなわち、携帯電話機１００は、図２のステップＳ２の後、図２のステップＳ３において太陽の方向を算出する代わりに、ＧＰＳ部１１１により検出された現在位置情報を基地局３０３及び通信ネットワーク３０２を介してサーバ３０１に送信する。
【００２８】
そして、サーバ３０１は、受信された携帯電話機１００の現在位置情報と図示せぬ自装置の時計部より得られる現在時刻情報とを基に太陽の方向を算出し、これを通信ネットワーク３０２及び基地局３０３を介して携帯電話機１００に送信する。携帯電話機１００は、サーバ３０１から太陽の方向の情報を受信すると、図２のステップＳ４に移行して、カメラ撮影が逆光であるか判断することとなる。なお、現在時刻情報は現在位置情報と共に携帯電話機１００がサーバ３０１に送信するようにしてもよい。
【００２９】
このように、サーバ３０１を用いて太陽の方向を算出することにより、携帯電話機１００で太陽の方向を算出する必要が無くなり、よって、計算に必要な条件をデータメモリ部１０５より削除することができる。
【００３０】
なお、サーバ３０１は、各地域毎にその地域の天気情報を保持しているものであってもよい。この場合、サーバ３０１は、算出された太陽の方向の情報を携帯電話機１００に送信する際に、携帯電話機１００の現在位置に対応する地域の天気情報も併せて携帯電話機１００に送信し、携帯電話機１００は、図２のステップＳ６において逆光補正を行う際、カメラ１０９撮像方向と太陽の方向との差と、サーバ３０１より受信された天気情報とに応じて逆光補正の度合いを可変するようにする。
【００３１】
例えば、カメラ撮像方向と太陽の方向との角度が同じでも、携帯電話機１００が存在する地域の天気が曇りの場合は、晴れの場合より逆光の度合いは低いと考えられるため、晴れの場合より逆光補正の度合いを抑えて制御をなす。このように天気情報も加味することによって、より正しく逆光の度合いを判断することができ、したがって、より最適な補正を行うことができる。
【図面の簡単な説明】
【００３２】
【図１】本発明の第１の実施例による携帯電話機の構成を示す図である。
【図２】図１の携帯電話機の動作を示すフローチャートである。
【図３】本発明の第２の実施例による携帯電話機を含むシステムの構成を示す図である。
【符号の説明】
【００３３】
１００    携帯電話機
１０１    アンテナ
１０２    送受信部
１０３    表示部
１０４    時計部
１０５    データメモリ部
１０６    中央制御部
１０７    キー操作部
１０８    画像処理部
１０９    カメラ
１１０    カメラ制御部
１１１    ＧＰＳ部
１１２    方位検出部
３０１    サーバ
３０２    通信ネットワーク
３０３    基地局
【図１】
2007288626.tif 000003
【図２】
2007288626.tif 000004
【図３】
2007288626.tif 000005